(57)【特許請求の範囲】
【請求項１】
折割るべき正方形ガラス片（２）を受容、配向し、固定するホルダ（３）と、引掻き装置（４，６）と、折割り装置（５，７，１４）とを有し、ウルトラミクロトミー用の、正方形ガラス片（２）から三角形ガラスメスを折割形成する装置であって、ホルダ（３）が、対向して配置され正方形ガラス片（２）を受容する２つのＵ字状クランプジョー（８）を有する形式のものにおいて、
双方のクランプジョー（８）が、回転ディスク（９）上に配設され、回転ディスク（９）の回転軸線（１３）が、正方形ガラス片（２）の中心に設けてあることを特徴とする、ウルトラミクロトミー用の三角形ガラスメスの折割形成装置。
【請求項２】
前記回転ディスク（９）には、正方形ガラス片（２）を配向するための取手（１０）が設けてあることを特徴とする請求項１記載のウルトラミクロトミー用の三角形ガラスメスの折割形成装置。
【請求項３】
取手（１０）が、旋回レバーとして構成されていることを特徴とする請求項２記載のウルトラミクロトミー用の三角形ガラスメスの折割形成装置。
【請求項４】
取手（１０）には、微調節のため、調節ネジ（１３）が配してあることを特徴とする請求項３記載のウルトラミクロトミー用の三角形ガラスメスの折割形成装置。
【発明の詳細な説明】
【０００１】
【発明の属する技術分野】
本発明は、ウルトラミクロトミーのための三角形ガラスメスを折割形成する装置、特に、請求項１の前置部に記載の形式の装置に関する。この装置は特に、折割るべき正方形ガラス片を受容、配向し、固定するホルダと、引掻き装置と、折割り装置とを有し、ウルトラミクロトミー用の、正方形ガラス片から三角形ガラスメスを折割形成する装置であって、ホルダが、対向して配置され正方形ガラス片を受容する２つのＵ字状クランプジョーを有する形式のものに関する。
【０００２】
【従来の技術】
ウルトラミクロトミーにおいて切断のために使用される三角形ガラス片は、一般に、使用者自身が作製する。かくして、必要に応じて、所定の寸法および所定の切断角度を有する高度の三角形ガラス片を標本カットに使用できる。
【０００３】
ガラスメスは、長さが、例えば、４００ｍｍの市販のガラス帯片から作製される。まず、各正方形ガラス片が得られるような長さに、上記ガラス帯片を対称に折割る。次いで、正方形ガラス片を各正方形の対角線に沿って折割り、かくして、それぞれ、例えば、４５°の切断角度（刃エッジ角度）を有する２つの三角形ガラスメスが得られる。
【０００４】
ガラスメスを折割る場合、よく知られているように、正方形ガラス片を正確にその角度二等分線に沿って折割ることはできない。角度二等分線に沿って掻き傷（スクラッチライン）を形成し、折割る場合、常に、破断は制御されない状態で行われ、かくして、使用不能な三角形ガラスメスが生ずることとなる。従って、正方形ガラス片に正確にその角度二等分線に沿って掻き傷を形成するのではなく、角度二等分線に対して僅かにずらして掻き傷を形成することが必要である。この際掻き傷ラインは正方形の対角線と、その中心点で交叉する。かくして、切断に適した鋭い１つのエッジと、鈍角な破断箇所とをそれぞれ有する２つの三角形ガラスメスが得られる。
【０００５】
このような三角形ガラスメスの作製に関する要求を満足する装置は、ライカ（ＬＥＩＣＡ）社の印刷物“Ｒｅｉｃｈｅｒｔ  Ｋｎｉｆｅｍａｋｅｒ、Ｋｎｉｆｅｍａｋｅｒ  ｚｕｍ  ｓｙｍｍｅｔｒｉｓｃｈｅｎ  Ｇｌａｓｂｒｕｃｈ，２．Ｋ．−Ｒｅｉｃｈｅｒｔ  ＥＭ−Ｌａｂｏｒａｔｏｒｙ−Ｄ−３／９３，１９９３”から公知である。この装置は、位置不動に配設された引掻きホイールと、位置不動に設置され折割力を加える装置とを有する。正方形ガラス片を保持するため、“Ｒｅｉｃｈｅｒｔ  Ｋｎｉｆｅｍａｋｅｒ”（以下、ライヘルト・ナイフメーカと呼ぶ）は、相互に無関係に側方へ且つ相互に平行に摺動自在に構成した２つのＵ字状クランプジョーを備えている。この調整は、正方形ガラス片を引掻きホイールの下方に配向し、かくして、所要の掻き傷ラインを形成するために必要である。
【０００６】
【発明が解決しようとする課題】
双方のクランプジョーの互いに無関係の調整方式および所要の調節精度にもとづき、この調整は、比較的時間が掛かる。例えば、異なる引掻き角度を設定すべき場合または引掻きホイールを交換した場合は常に、上記調整が必要である。異なるメーカから入手したガラス片を用いる場合も、追加修正が必要である。
【０００７】
従って、本発明の課題は、操作が簡単であると同時に、正方形ガラス片を正確に位置決めできるよう、“ライヘルト・ナイフメーカ”から公知の三角形ガラスメス折割形成装置を改良することにある。
【０００８】
【課題を解決するための手段】
この課題は、本発明にもとづき、請求項１の特徴記載部分に開示の特徴によって解決される。即ち、本発明は、双方のクランプジョーが、回転ディスク上に配設され、回転ディスクの回転軸線が、正方形ガラス片の中心に設けてあることを特徴とする。本発明のさらなる有利な実施の形態は、従属請求項の対象である。以下略述する。回転ディスクには、正方形ガラス片を配向するための取手が設けてあることが好ましい。取手が、旋回レバーとして構成されていることが好ましい。さらに、取手には、微調節のため、調節ネジが配してあることが好ましい。なお、この「正方形ガラス片」の「正方形」とは略正方形であればよく、完全な正方形であることは要しない。この正方形ガラス片自体、ガラス帯を折割って形成されることから、その正方形の程度は自ずと明らかである。
【０００９】
なお、各請求項に付記した図面参照符号は、理解を助けるためであって、図示の態様に本発明を限定することを意図しない。
【００１０】
【発明の実施の形態】
略図に示した実施例を参照して本発明の一実施の形態を詳細に説明する。
【００１１】
図１に、ハウジング１と、折割り装置５と、引掻きホイール４とを有する装置の一実施例の側面図を示した。折割り装置５は、ハウジング１の内部に延びるロッド（図示略）を介して２つの折割りボルト７と機能的に連結された回転レバー１５を有する。回転レバー１５を介して、折割りボルト７は、折割るべきガラスに対し、規定された力を及ぼす。引掻きホイール４は、引掻きロッド６に固定されている。引掻きロッド６を矢印方向へ引出せば、引掻きホイール４は、ガラス上を移動され、掻き傷（スクラッチ）ラインが形成される。
【００１２】
ハウジング１には、更に、ガラス片から所望の正方形ガラス片２を折割るために取手１６を介して所定の当接位置に置くことができる可動のガラス片用当接バー１２が設けてある。
【００１３】
図２に、折割るべき正方形ガラス片２のための、２つのＵ字状クランプジョー８を有するホルダ３を示した。全ホルダ３は、取手１０を介して矢印方向へ回転させ得るよう構成した回転ディスク９（模式的にのみ示した）に設けてある。回転ディスク９は、回転軸１３のその軸線が正方形ガラス片２の中心にあるよう、定位置で回動可能に支持（軸支）されている。回転ディスク９の回転（角度）位置の微調整のため、取手１０には調節ネジ１１が配してある。
【００１４】
回転軸１３には、正方形ガラス片２の下方に、更に、２つの不動の押圧ボルト１４が設けてある。上記押圧ボルト１４は、折割り装置１５を介して駆動される双方の折割りボルト７（図１）に対し、押圧ボルト１４および折割りボルト７の各組立中心線（Fluchtlinien）が、互いに少なくともほぼ９０°をなすように、対置される。引掻きロッド６の作動によって形成される掻き傷ラインは、折割りボルト１４の上方にある。
【００１５】
双方のクランプジョー８の間に正方形ガラス片２を締付固定した後、掻き傷ラインが正方形ガラス片２の対角線の近傍に延び回転軸線１３において上記対角線と交差するよう、取手１０または調節ネジ１１を介して正方形ガラス片２を配向（角度位置調節）する。なお、冒頭に述べた如く、掻き傷ラインが正確に対角線に沿って延びている場合には、正方形ガラス片は、制御されない状態で折割られることになる。
【００１６】
図３に、回転ディスク９と、上記回転ディスク上に設けた双方のクランプジョー８および正方形ガラス片２とを示した。回転ディスク９には、取手１０が取付けてあり、かくして、回転ディスク９を二重矢印方向へ手操作で駆動できる。
【００１７】
図示の実施例の場合、クランプジョーは、不動に構成されている。正方形ガラス片２を確実に固定するため、１つまたは双方のクランプジョー８を弾性的に（例えばスプリングを介して）支持すれば有利であることが判明している。
【００１８】
上述の実施例の場合、正方形ガラス片は、ほぼ４５°の角度で折割られる。上述の装置によって、もちろん、他の折割り角度に設定−調節することができる。
【００１９】
【発明の効果】
本発明の基本的構成（請求項１）により、簡単な操作でしかも正確に正方形ガラス片を位置決め可能な、三角形ガラスメス折割形成装置が達成される。
【００２０】
請求項２〜４の各展開形態によって、その具体的な構成・機能が一層確実かつ簡略化される。
【図面の簡単な説明】
【図１】本発明に係る装置の一実施例の側面図である。
【図２】正方形ガラス片のホルダの一例を示す図面である。
【図３】取手を有する回転ディスクの一実施例を示す平面図である。
【符号の説明】
１  ハウジング
２  正方形ガラス片
３  ホルダ
４  引掻きホイール
５  折割り装置
６  引掻きロッド
７  折割りボルト
８  クランプジョー
９  回転ディスク
１０  ９の取手
１１  調節ネジ
１２  ガラス片の当接バー
１３  ９の回転軸
１４  押圧ボルト
１５  レバー
１６  取手
【図１】
0003732300.tif 000002
【図２】
0003732300.tif 000003
【図３】
0003732300.tif 000004